【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
電子取引システムにおいて取引されるアイテムに対する市場情報を表示する方法であって、
前記電子取引システムのワークステーション上に表示されるユーザインタフェースを設けるステップと、
前記ユーザインタフェース内の第１領域に前記アイテムに係る複数のビッド価格を表示するステップと、
前記ユーザインタフェース内の第２領域に前記アイテムに係る複数のアスク価格を表示するステップと、
前記アイテムに係る場内市場の表示を、該場内市場が変動すると、表示される前記価格の少なくとも１つが前記ユーザインタフェース内の前記第１領域と前記第２領域との間の位置を変化させるように、表示するステップと、
を有する方法。
【請求項２】
前記場内市場の表示された表示は、前記場内市場が変動すると、前記ユーザインタフェース内の位置を変化させる、請求項１記載の方法。
【請求項３】
前記表示された複数の価格の少なくとも１つの位置の変化の表示を表示するステップをさらに有する、請求項１記載の方法。
【請求項４】
ある表示された価格のグループに係る価格の一部のみを表示するステップをさらに有する、請求項１記載の方法。
【請求項５】
前記アイテムに対する保留されている注文が存在する価格のみを表示するステップをさらに有する、請求項１記載の方法。
【請求項６】
前記アイテムに対する保留されている注文が存在する価格を、前記アイテムに対する保留されている注文が存在しない価格の表示方法とは異なる方法により表示するステップをさらに有する、請求項１記載の方法。
【請求項７】
前記価格を表示するステップは、縮小サイズ形式により、圧縮形式により、及び削除形式により前記価格を表示することから構成されるグループから選択された方法を利用する、請求項６記載の方法。
【請求項８】
表示されないある価格グループに対するボリューム加重平均価格を計算及び表示するステップをさらに有する、請求項１記載の方法。
【請求項９】
表示されないある価格グループから選択される価格を表示するステップをさらに有する、請求項１記載の方法。
【請求項１０】
前記ユーザに完了した取引の表示を表示するステップをさらに有する、請求項１記載の方法。
【請求項１１】
ユーザから入力を受け付けるための少なくとも１つの注文入力領域を表示するステップをさらに有する、請求項１記載の方法。
【請求項１２】
前記ユーザの入力は、前記第１及び第２領域に表示される複数の価格の少なくとも１つの選択からなる、請求項１１記載の方法。
【請求項１３】
前記少なくとも１つの注文入力領域は、前記アイテムに関して前記ユーザのネットボリュームポジションをバランスさせるのに必要とされるサイズに対応するサイズを前記ユーザが取引することを可能にするよう調整される、請求項１１記載の方法。
【請求項１４】
前記少なくとも１つの注文入力領域は、前記ユーザが入力するのに選択する注文タイプを前記ユーザが変更することを可能にするよう調整される、請求項１１記載の方法。
【請求項１５】
前記複数のアスク価格は、第１の軸に沿って表示され、
前記複数のビッド価格は、第２の軸に沿って表示される、請求項１記載の方法。
【請求項１６】
前記第１の軸に揃えられる第３の軸に沿って複数のサイズを表示するステップをさらに有し、
前記表示される複数のサイズの少なくとも１つは、前記第２の軸に沿って表示されるサイズの位置に揃えられる第１の軸に沿った位置に表示される価格による前記アイテムに対する少なくとも１つの注文に対応する、請求項１５記載の方法。
【請求項１７】
前記複数のサイズの少なくとも１つは、前記アイテムに対する処理中の注文に対応する、請求項１６記載の方法。
【請求項１８】
前記複数のサイズの少なくとも１つは、前記アイテムに対する完了した取引の合計サイズに対応する、請求項１６記載の方法。
【請求項１９】
前記複数のサイズは、各サイズが前記アイテムを購入するための少なくとも１つの注文を有する第１の複数のサイズを有する、請求項１６記載の方法。
【請求項２０】
前記第３の軸は、前記第２の軸とさらに揃えられ、
前記複数のサイズは、各サイズが前記アイテムを売却するための少なくとも１つの注文を有する第２の複数のサイズを有する、請求項１９記載の方法。
【請求項２１】
前記第２の軸に揃えられる第４の軸に沿って第２の複数のサイズを表示するステップをさらに有し、
前記表示される複数のサイズの少なくとも１つは、前記第４の軸に沿って表示されるサイズの位置に揃えられる第２の軸に沿った位置に表示される価格による前記アイテムを売却するための少なくとも１つの注文に対応する、請求項１９記載の方法。
【請求項２２】
前記ユーザインタフェースは、前記ユーザが前記選択された価格を変更することを可能にするよう調整される、請求項２１記載の方法。
【請求項２３】
前記複数の価格の１つに対応する前記複数のサイズの１つを、前記複数の価格の１つの表示方法と同様の方法により表示するステップをさらに有する、請求項２１記載の方法。
【請求項２４】
前記複数のサイズは、第１の複数のサイズを有し、
当該方法は、前記第１の複数のサイズに揃えられる第２の複数のサイズを表示するステップをさらに有する、請求項１６記載の方法。
【請求項２５】
前記第２の複数のサイズの少なくとも１つは、前記アイテムに対する処理中の注文に対応する、請求項２４記載の方法。
【請求項２６】
前記第２の複数のサイズの少なくとも１つは、前記アイテムに対する完了した取引の合計サイズに対応する、請求項２４記載の方法。
【請求項２７】
前記ユーザインタフェース内の前記場内市場の表示された表示を中央にするステップをさらに有する、請求項１記載の方法。
【請求項２８】
前記ユーザインタフェース内の前記場内市場の表示された表示を中央にするステップは、あるユーザ入力に応答して実行される、請求項２７記載の方法。
【請求項２９】
前記ユーザインタフェース内の前記場内市場の表示された表示を中央にするステップは、定期的に実行される、請求項２７記載の方法。
【請求項３０】
前記ユーザインタフェース内の前記場内市場の表示された表示を中央にするステップは、前記場内市場の少なくとも１つの変動に応答して実行される、請求項２７記載の方法。
【請求項３１】
電子取引システムにおいて取引されるアイテムに対する市場情報を表示する方法であって、
前記電子取引システムのワークステーション上に表示されるユーザインタフェースを設けるステップと、
前記ユーザインタフェース内の第１の軸に沿って前記アイテムに係る複数のビッド価格を表示するステップと、
前記ユーザインタフェース内の第２の軸に沿って前記アイテムに係る複数のアスク価格を表示するステップと、
前記アイテムに係る場内市場における変動に応答して、表示される前記価格の少なくとも１つにおける前記第１の軸と前記第２の軸との間の位置の変化を表示するステップと、
を有する方法。
【請求項３２】
アイテムに対する市場情報を表示する電子取引システムであって、
前記アイテムに係る複数のビッド及びアスク価格を当該サーバに接続される複数のワークステーションに配信するよう構成されるサーバを有し、
前記複数のワークステーションは、
ユーザインタフェースを表示し、
前記ユーザインタフェース内の第１領域に前記アイテムに係る複数のビッド価格を表示し、
前記ユーザインタフェース内の第２領域に前記アイテムに係る複数のアスク価格を表示し、
前記アイテムに係る場内市場の表示を、該場内市場が変動すると、表示される前記価格の少なくとも１つが前記ユーザインタフェース内の前記第１領域と前記第２領域との間の位置を変化させるように、表示するよう構成される、システム。